(57)【要約】【課題】  スニーカ専用の洗濯機であって、構造が簡単で取り扱いやすいものの提供。【解決手段】  本体１の中間部に回転軸２を配置し、その回転軸２に基部３を取付ける。そしてその基部３の両面に一対のスニーカ収納部６を配置し、そのスニーカ収納部６にスニーカ14を収納する。【選択図】        図１
2014236864.tif 000002
【特許請求の範囲】
【請求項１】
内部に洗浄水が供給される洗濯機の本体(1)と、
その本体(1)の内部の中間に水平に配置された回転軸(2)と、その回転軸(2)に平行に取付た基部(3)と、
その基部(3)の両側に配置され、それぞれ内部にスニーカを収納する一対のスニーカ収納部 (6)と、を具備するスニーカ洗濯機。
【請求項２】
請求項１に記載のスニーカ洗濯機において、
スニーカ収納部(6)は、洗浄水が通水可能な多孔板(4)、網体、枠体のいずれか、からなるスニーカ洗濯機。
【請求項３】
請求項１または請求項２に記載のスニーカ洗濯機において、
一対の手動クランク(7)が、前記洗濯機の本体(1)の外側で、前記回転軸(2)の両側に取り付けられたスニーカ洗濯機。
【請求項４】
請求項１〜請求項３のいずれかに記載のスニーカ洗濯機において、
前記スニーカ収納部(6)は、スニーカのサイズに応じて、その内部が拡縮できる拡縮手段(8)を有するスニーカ洗濯機。
【請求項５】
請求項１〜請求項４のいずれかに記載のスニーカ洗濯機において、
前記スニーカ収納部(6)の内面に、スニーカ(14)の外面を擦る、外振動・擦り手段(9)が設けられたスニーカ洗濯機。
【請求項６】
請求項１〜請求項５のいずれかに記載のスニーカ洗濯機において、
スニーカ収納部(6)のスニーカ(14)の内部に挿入されて、スニーカ(14)の内面を擦る内振動・擦り手段（ハードマット）(10)が設けられたスニーカ洗濯機。
【請求項７】
請求項１〜請求項６のいずれかに記載のスニーカ洗濯機において、
各スニーカ収納部(6)の底面の中心軸Ｌ１，Ｌ２が互いに交差するように配置されたスニーカ洗濯機。
【発明の詳細な説明】
【技術分野】
【０００１】
本発明は、スニーカ専用の洗濯機に関するものである。
【背景技術】
【０００２】
下記特許文献１に記載の靴洗濯容器は、通常の機械洗濯機を用いて靴類の汚れを洗うものである。
この靴洗濯容器は、通水性ネットと、洗濯靴を収納する靴収納容器と、靴収納容器の底に設けられた弾性浮き機構と、その上部に設けられたファスナーと、その内側に設けられた靴外摩擦洗浄機構と、洗浄靴の中に差し込んだ靴内摩擦洗浄機構と、靴内摩擦洗浄機構と靴収納容器に固定する内部摩擦洗浄機構固定部とから構成されている。
【０００３】
また、下記特許文献２の靴洗浄機は、洗浄槽内の回転軸に垂直に靴保持体を配置すると共にブラシを配置し、その靴保持体を水平に反転させて靴とブラシを擦り合わせることにより靴を洗う靴洗浄機において、遠心脱水時に靴保持体を高速一方向回転させるべく、靴保持体と駆動モータとをクラッチ機構を介して連結したものである。
【先行技術文献】
【特許文献】
【０００４】
【特許文献１】特開２００３−３８８９１号公報
【特許文献２】特開昭６１−２０３９３２号公報
【特許文献３】実開平１−１１５４８４号公報
【発明の概要】
【発明が解決しようとする課題】
【０００５】
通常の洗濯機でスニーカ等を洗う場合、洗濯機自体が靴の汚れで汚染されてしまい、衣服の洗濯に適さない状態になるおそれがある。
上記特許文献２の靴洗浄機は、構造が複雑で高価にならざるを得ない欠点がある。
そこで本発明は、スニーカを簡易に且つ迅速に洗濯し、脱水することができるスニーカ専用の洗濯機を提供することを課題とする。
【課題を解決するための手段】
【０００６】
請求項１に記載の本発明は、内部に洗浄水が供給される洗濯機の本体(1)と、
その本体(1)の内部の中間に水平に配置された回転軸(2)と、その回転軸(2)に平行に取付た基部(3)と、
その基部(3)の両面に配置され、それぞれ内部にスニーカを収納する一対のスニーカ収納部 (6)と、を具備するスニーカ洗濯機である。
【０００７】
請求項２に記載の本発明は、請求項１に記載のスニーカ洗濯機において、
スニーカ収納部(6)は、洗浄水が通水可能な多孔板(4)、網体、枠体のいずれか、からなるスニーカ洗濯機である。
請求項３に記載の本発明は、請求項１または請求項２に記載のスニーカ洗濯機において、
一対の手動クランク(7)が、前記洗濯機の本体(1)の外側で、前記回転軸(2)の両側に取り付けられたスニーカ洗濯機である。
【０００８】
請求項４に記載の本発明は、請求項１〜請求項３のいずれかに記載のスニーカ洗濯機において、
前記スニーカ収納部(6)は、スニーカのサイズに応じて、その内部が拡縮できる拡縮手段(8)を有するスニーカ洗濯機である。
請求項５に記載の本発明は、請求項１〜請求項４のいずれかに記載のスニーカ洗濯機において、
前記スニーカ収納部(6)の内面に、スニーカ(14)の外面を擦る、外振動・擦り手段(9)が設けられたスニーカ洗濯機である。
【０００９】
請求項６に記載の本発明は、請求項１〜請求項５のいずれかに記載のスニーカ洗濯機において、
スニーカ収納部(6)のスニーカ(14)の内部に挿入されて、スニーカ(14)の内面を擦る内振動・擦り手段(ハードマット)(10)が設けられたスニーカ洗濯機である。
請求項７に記載の本発明は、請求項１〜請求項６のいずれかに記載のスニーカ洗濯機において、
各スニーカ収納部(6)の底面の中心軸Ｌ１，Ｌ２が互いに交差するように配置されたスニーカ洗濯機である。
【発明の効果】
【００１０】
本発明の洗濯機は、本体１の内部の中間に水平に回転軸２が配置され、その回転軸２に平行に基部３が取付られ、その基部３の両側にスニーカ収納部 ６が設けられたものであるから、スニーカは重力方向に回転して、洗浄水との攪拌が自然に行われる。そのため、構造が簡単で洗浄能力の高いものを提供できる。
【図面の簡単な説明】
【００１１】
【図１】本発明のスニーカ洗濯機の斜視図。
【図２】同洗濯機内部に配置されるスニーカ収納部６及び内振動・擦り手段10の分解斜視図。
【図３】同洗濯機の要部を示す一部縦断面図。
【図４】本発明の第２実施例のスニーカ洗濯機の要部を示す縦断面図。
【図５】同洗濯機の拡縮手段８の説明図。
【図６】同洗濯機の使用状態を示す縦断面図。
【図７】同洗濯機の使用状態を示す説明図。
【図８】本発明のスニーカ洗濯機の他の実施例の正面図。
【図９】本発明のスニーカ洗濯機の他の振動・擦り手段９の斜視図。
【発明を実施するための形態】
【００１２】
次に、図面に基づいて本発明の実施の形態につき説明する。
このスニーカ洗濯機は、スニーカ専用の洗濯機であって、図１〜図７の実施例は手動の洗濯機である。
この洗濯機は、本体１とその回転軸２に設けた基部３と、基部３の両側に配置された一対のスニーカ収納部６とを有し、その回転軸２の両端に一対のクランク７がその向きを１８０°異なって配置されている。
【００１３】
本体１は、下部本体1aと上部本体1bとからなり、両者がヒンジで連結されると共に、好ましくはその上部本体1bが下部本体1aに対して９０°以上開かないように、図示しないストッパ手段が設けられる。上部本体1bは、その上部にタンク1cを有する。
次に、スニーカ収納部６は靴のサイズに応じて拡縮できる拡縮手段８を有し、図２に示す如く、基部３に夫々爪先収納部6aが固定され、その爪先収納部6aに対して踵収納部6bが近接自在に配置される。爪先収納部6a，踵収納部6bは、この例では多数の孔を有するパンチングメタルからなる。なお、それらに変えて金網や格子状の枠とすることも可能のである。
【００１４】
基板３上、爪先収納部6aの内面及び踵収納部6bの内面には、外振動・擦り手段９が取付けられる。この外振動・擦り手段９は、通水性のものであって、一例として不織布やタワシ、ブラシ等を使用できる。そして踵収納部6bは、その外周が格子状の縦バネ12と横バネ13とからなる枠体５で被嵌されている。この枠体５の縦バネ12は側部がコ字状に、その上端がＬ字状に形成され、その上部が踵収納部6bの内面側に突出されている。この縦バネ12の上端部は、スニーカ収納部６の内部にスニーカを収納したとき、それが使用中に飛び出ることを防止する飛び出し防止手段6cを構成する。そして縦バネ12の下端部が基部３に固定された位置決めレール15の適宜なスリット16に嵌着され、そのスリット16の各位置によってスニーカのサイズに合わせる拡縮手段８を構成する。なお、そのスリット16は図５に示す如く、断面鍵型に形成されている。これは吸水したスニーカに大きな遠心力が加わっても、縦バネ12が外れないようにするものである。
【００１５】
その拡縮手段８の作用を示すのが図５である。即ち、踵収納部6bの外周を保持する枠体５は、縦バネ12と横バネ13とからなり、その縦バネ12の下端が位置決めレール15の適宜なスリット16に嵌着される。その嵌着の方法は、先ず鎖線の如く、左右一対の縦バネ12を幅方向に縮小させ、位置決めレール15の幅方向に移動し、次いでそれをレールの長手方向に移動する。そしてその縦バネ12を、弾性を利用して適宜なスリット16に嵌着するものである。
【００１６】
なお、この実施例では上下のスニーカ収納部６は、図７に示す如く夫々が基部３に取付けられ、各基部３の中心軸Ｌ１Ｌ２の軸線が互いに交差するように配置されている。これは回転軸２を回転してとき、洗浄水24が各スニーカ収納部６に円滑に流出入するようにしたものである。即ち、相手方の基部３の存在によって洗浄水24の流出入が邪魔されないように、互いの軸線を交差させたものである。なお、基部３は一つでもよく、その両側に各スニーカ収納部６を配置してもよい。
【００１７】
本体１を形成する上部本体1bの上部には、図６に示す如く、タンク1cが設けられ、その底面に設けた弁座に弁11が出入り自在に挿入される。この弁11は、この例では摘み23を持ち上げることにより内部の洗浄水24を下部本体1a側に供給する。この弁11を手動絞り弁として、適宜な絞りにより連続的に洗浄水を供給することもできる。
なお、この例ではスニーカ収納部６に収納されるスニーカ14の内部には、図２に示す内振動・擦り手段10が挿入される。
また、基部３上の外振動・擦り手段９として、図９に示すものを配置することができる。この外振動・擦り手段９は、靴底の土踏まず部に凸部21が突設され、その土踏まず部の汚れを凸部21により擦り取るものである。
【００１８】
〔作用〕
次に、本発明のスニーカ洗濯機の使用方法につき述べる。
図３に示す如く、上下一対のスニーカ収納部６に夫々一対のスニーカ14を収納する。そしてスニーカ14の大きさに合わせて踵収納部6bを移動させる。そして各スニーカ14には、図２に示す内振動・擦り手段10として、ハードマットが収納される。内振動・擦り手段10は外振動・擦り手段９と同様の材料からなり、編み目状の不織布その他を用いることができる。
また、外振動・擦り手段９，内振動・擦り手段10は、その表面にブラシが植毛されたものであってもよい。そして図６，図７において、摘み23を持ち上げ弁11を開放して、あるいは、図示しない絞り弁を適宜量開放して、洗浄水24を下部本体1a側に供給する。その供給の仕方は任意であり、少しずつ滴下させ左右のクランク７を回転させることにより、内部で液滴又は霧状の洗浄水24を循環させることもできる。
【００１９】
さらには、下部本体1a内に洗浄水24を一定高さ供給し、スニーカを浸漬した状態で、クランク７を回転させてもよい。このとき、クランク７の回転に伴い内部のスニーカ14が上下方向及び左右方向に移動し、外振動・擦り手段９によってスニーカ14の外周の汚れが擦り取られる。スニーカ14の内部の汚れは、内振動・擦り手段10によって擦り取られる。
次いで、図６において排出パイプ18から下部本体1a内の洗浄水24を外部に放出する。次いで、脱水のため回転軸２をさらに回転させ、スニーカ14内部の水滴を遠心力によって放出する。その排水は、下部本体1aの底面から排出パイプ18を介して外部に流出する。それによりスニーカ14の水分が十分放出されたとき、図１の如く上部本体1bを開放し、枠体５を移動し内部のスニーカ14を取り出す。
【００２０】
次に、図８はモータ20によって回転軸２を回転駆動する実施例である。
また、図４は図３の変形例であり、上下のスニーカ収納部６とスニーカ14の大きさが大きく、スニーカ14の中にさらにもう1枚長い内振動・擦り手段10が存在する例である。
【符号の説明】
【００２１】
１  本体  
1a  下部本体
1b  上部本体
1c  タンク
２  回転軸
３  基部
４  多孔板
５  枠体
６  スニーカ収納部
6a  爪先収納部
6b  踵収納部
6c  飛び出し防止手段
【００２２】
７  クランク
８  拡縮手段
９  外振動・擦り手段
10  内振動・擦り手段（ハードマット）
11  弁
12  縦バネ
13  横バネ
14  スニーカ
15  位置決めレール
【００２３】
16  スリット
17  入り口パイプ
18  排出パイプ
20  モータ
21  凸部
22  取手
23  摘み
24  洗浄水
【図１】
2014236864.tif 000003
【図２】
2014236864.tif 000004
【図３】
2014236864.tif 000005
【図４】
2014236864.tif 000006
【図５】
2014236864.tif 000007
【図６】
2014236864.tif 000008
【図７】
2014236864.tif 000009
【図８】
2014236864.tif 000010
【図９】
2014236864.tif 000011